(57)【要約】【課題】  保管スペースが少なくて済み、しかも、不正に梱包解除されるおそれの少ない段ボール製梱包箱装置の提供である。【解決手段】  段ボールより成り、幅方向に沿って下方に折曲げ可能な３個の係止爪３から成る第１ないし第５の各係止爪群Ｂ1 〜Ｂ5 が設けられたパレット板１と、段ボールより成り、天井板部６に設けられた各係止爪７を、前記天井板部６と重なり状態で配置される折返し板部１２に設けられた各係止孔用開口１３に挿入係止することによって角筒状に保持される桁材２とからパレットＰを構成し、前記パレット板１の各係止爪３を、前記桁材２の各係止孔用開口１３と折り曲げられた係止爪７とによって形成される係止孔２０に挿入係止させることにより、両者を一体に組み付ける。【選択図】        図２
2005289490.tif 000002
【特許請求の範囲】
【請求項１】
側板下部にフォークリフト爪を挿入可能な爪孔が設けられた梱包箱と、該梱包箱の底部に被梱包物と一緒に収容される段ボール製のパレットとから成り、前記爪孔を通して前記パレットの下方に挿入されたフォークリフト爪により、被梱包物を梱包状態で持上げ可能な段ボール製梱包箱装置であって、
前記パレットは、板状のパレット本体と、該パレット本体の下面に取付けられる複数本の桁材とから成り、前記パレット本体と前記桁材とは、これらの一方に形成された係止爪が、他方に形成された係止孔に挿入係止されて一体に組み付けられる構成であることを特徴とする段ボール製梱包箱装置。
【請求項２】
上面が開口した下箱と、下面が開口して前記下箱の外側に被せられる上箱と、前記下箱に収容されるパレットとから成り、前記下箱及び上箱の側面下部には、フォークリフト爪を挿入可能な爪孔がそれぞれ形成され、
前記下箱に収容したパレット上に被梱包物を積載して、下箱及び被梱包物を上箱で覆った状態で、前記各爪孔を通してパレットの下方に挿入されたフォークリフト爪により、梱包状態の被梱包物を持上げ可能な段ボール製梱包箱装置であって、
前記下箱の外側に上箱を被せて被梱包物を梱包した状態で、互いに合致した下箱及び上箱の各爪孔に連結部材を挿入して、上下の各箱を相互に連結する構成であることを特徴とする段ボール製梱包箱装置。
【請求項３】
前記上箱の爪孔の上端縁に折返し片が設けられ、連結部材の挿入時において、前記折返し片は、パレットを構成するパレット本体の裏面に向けて折り返されて、前記パレット本体と連結部材との間に介装されることを特徴とする請求項２に記載の段ボール製梱包箱装置。
【発明の詳細な説明】
【技術分野】
【０００１】
本発明は、梱包箱と、該梱包箱の底部に被梱包物と一緒に収容され、被梱包物を設置させるためのパレットとから成る段ボール製梱包箱装置に関するものである。
【背景技術】
【０００２】
従来の技術を説明するに当り、本発明の図面を援用する。被梱包物を梱包するために、段ボールから成るパレットが公知であり、各種の特許出願がされている（例えば、特許文献１参照）。図１及び図２に示されるように、パレットＰは、被梱包物Ｄを設置するためのパレット板１と、フォークリフト爪Ｎを挿入させるために、前記パレット板１を所定高さだけ持ち上げて爪挿入空間Ｖを形成するための複数本の桁材２より構成されている。
【０００３】
前記パレットＰを梱包箱Ｃ1 の底部に収容し、その状態のパレットＰに被梱包物Ｄを設置させる構成の段ボール製梱包箱装置Ａ1 が公知である。この場合、梱包箱Ｃ1 に収容されたパレットＰに被梱包物Ｄを設置した後、梱包箱Ｃ1 の上板をシール等で止めるだけで済む。また、複数個の被梱包物Ｄを設置させる「集合梱包」の場合であっても、被梱包物ＤとパレットＰとを結束バンド等で締める作業が不要である。更に、被梱包物Ｄが視認不能になるため、盗難等のおそれも少ない。
【０００４】
従来のパレットは、パレット板と各桁材とが糊等の接着剤によって一体に固着されている。このため、パレットを保管するために大きなスペースを必要とする。また、被梱包物の大きさに応じて、複数種類のパレットと梱包箱とを用意しておかなければならず、梱包現場において被梱包物の大きさが突然変更された場合に対応できないおそれがある。更に、接着剤が飛散・落下する等により、梱包現場が汚損されるという不具合もある。
【０００５】
図１１及び図１２に示されるように、被梱包物ＤをパレットＰに設置するときの作業を容易にするため、上箱と下箱に分離させた梱包箱Ｃ2 を使用する構成の段ボール製梱包箱装置Ａ2 も存している。従来の段ボール製梱包箱装置では、下箱に上箱を単に被せるだけの構成であるため、搬送途中において不正に梱包解除されるおそれがある。これを防止するため、結束バンド等により上箱と下箱とを分離不能に縛らなければならず、梱包作業に手間がかかっている。
【特許文献１】特開２００２−２７４５３８号公報
【発明の開示】
【発明が解決しようとする課題】
【０００６】
本発明は、上記した不具合に鑑み、保管スペースが少なくて済み、しかも、不正に梱包解除されるおそれのない段ボール製梱包箱装置を提供することを課題としている。
【課題を解決するための手段】
【０００７】
上記課題を解決するための請求項１の発明は、側板下部にフォークリフト爪を挿入可能な爪孔が設けられた梱包箱と、該梱包箱の底部に被梱包物と一緒に収容される段ボール製のパレットとから成り、前記爪孔を通して前記パレットの下方に挿入されたフォークリフト爪により、被梱包物を梱包状態で持上げ可能な段ボール製梱包箱装置であって、前記パレットは、板状のパレット本体と、該パレット本体の下面に取付けられる複数本の桁材とから成り、前記パレット本体と前記桁材とは、これらの一方に形成された係止爪が、他方に形成された係止孔に挿入係止されて一体に組み付けられる構成であることを特徴としている。
【０００８】
本発明に係る段ボール製梱包箱装置を構成するパレットは、パレット本体の係止爪が、対応する桁材の係止孔に挿入係止されることにより、両者が一体に組み付けられるため、被梱包物の梱包状態で桁材が外れないという利点を損なうことなく、容易に組み付けることができる。このため、前記パレットを構成するパレット本体と桁材とを分離させて保管でき、積層して保管した状態で無用な空間部が形成されないので、組付け状態で保管するのと比較して、保管スペースが小さくて済む。また、作業者が、分離して保管しておいたパレット本体と桁材とを組み付けて使用することにより、梱包現場において必要サイズのパレットを、必要数だけ瞬時に確保することができ、多種多様な形状の被梱包物を梱包することができる。
【０００９】
請求項２の発明は、上面が開口した下箱と、下面が開口して前記下箱の外側に被せられる上箱と、前記下箱に収容されるパレットとから成り、前記下箱及び上箱の側面下部には、フォークリフト爪を挿入可能な爪孔がそれぞれ形成され、前記下箱に収容したパレット上に被梱包物を積載して、下箱及び被梱包物を上箱で覆った状態で、前記各爪孔を通してパレットの下方に挿入されたフォークリフト爪により、梱包状態の被梱包物を持上げ可能な段ボール製梱包箱装置であって、前記下箱の外側に上箱を被せて被梱包物を梱包した状態で、互いに合致した下箱及び上箱の各爪孔に連結部材を挿入して、上下の各箱を相互に連結する構成であることを特徴としている。
【００１０】
請求項２の発明では、段ボール製梱包箱装置の機能からして上下の各箱に必ず設けられる爪孔に連結部材を挿入するのみで、上箱が上方に素抜けるのを防止できて、梱包済の被梱包物が不正に梱包解除されるのを阻止できる。特に、上下の各箱が、それらの下端部で連結されていて、しかも、梱包状態の段ボール製梱包箱装置が近接配置されている場合には、前記連結部材を取り外すことが困難になり、不正に梱包解除されることを確実に阻止できる。
【００１１】
請求項３の発明は、請求項２の発明を前提として、前記上箱の爪孔の上端縁に折返し片が設けられ、連結部材の挿入時において、前記折返し片は、パレットを構成するパレット本体の裏面に向けて折り返されて、前記パレット本体と連結部材との間に介装されることを特徴としている。この発明では、挿入状態の連結部材の抜止めが図られるため、不正に梱包解除されることが、一層確実に阻止できる。
【発明の効果】
【００１２】
請求項１の発明は、側板下部にフォークリフト爪を挿入可能な爪孔が設けられた梱包箱と、該梱包箱の底部に被梱包物と一緒に収容される段ボール製のパレットとから成り、前記爪孔を通して前記パレットの下方に挿入されたフォークリフト爪により、被梱包物を梱包状態で持上げ可能な段ボール製梱包箱装置であって、前記パレットは、板状のパレット本体と、該パレット本体の下面に取付けられる複数本の桁材とから成り、前記パレット本体と前記桁材とは、これらの一方に形成された係止爪が、他方に形成された係止孔に挿入係止されて一体に組み付けられる構成であることを特徴としている。このため、段ボール製のパレットを構成するパレット本体と桁材とを組み付ける作業が容易である。また、両者を分離して保管できるため、保管のためのスペースも小さくて済む。
【００１３】
請求項２の発明は、上面が開口した下箱と、下面が開口して前記下箱の外側に被せられる上箱と、前記下箱に収容されるパレットとから成り、前記下箱及び上箱の側面下部には、フォークリフト爪を挿入可能な爪孔がそれぞれ形成され、前記下箱に収容したパレット上に被梱包物を積載して、下箱及び被梱包物を上箱で覆った状態で、前記各爪孔を通してパレットの下方に挿入されたフォークリフト爪により、梱包状態の被梱包物を持上げ可能な段ボール製梱包箱装置であって、前記下箱の外側に上箱を被せて被梱包物を梱包した状態で、互いに合致した下箱及び上箱の各爪孔に連結部材を挿入して、上下の各箱を相互に連結する構成であることを特徴としている。このため、上下の各箱の爪孔の部分に連結部材を挿入するだけで、各箱が分離されるのが防止され、被梱包物が不正に梱包解除されることを阻止できる。
【発明を実施するための最良の形態】
【００１４】
以下、本発明の最良実施例を挙げて、本発明を更に詳細に説明する。図１は第１実施例の段ボール製梱包箱装置Ａ1 の全体斜視図、図２はパレットＰの斜視図、図３は同じく平面図である。
【実施例１】
【００１５】
第１実施例の段ボール製梱包箱装置Ａ1 は、図１に示されるように、段ボールより成るパレットＰと、該パレットＰ及びこれに設置された被梱包物Ｄを収容するための梱包箱Ｃ1 とから成る。パレットＰについて説明する。図２に示されるように、本実施例のパレットＰは、所定厚さの段ボール板より成る長方形状のパレット板１と、該パレット板１の底面部に着脱可能に取付けられる複数本（本実施例の場合、３本）の桁材２とから構成されている。各桁材２は、それらの長手方向をパレット板１の長手方向（以降、「幅方向」と記載する）と直交する方向（以降、「奥行方向」と記載する）に沿わせて、前記パレット板１における両端部とほぼ中央部に取付けられている。パレット板１について説明する。図３に示されるように、前記パレット板１には、パレット板１の奥行方向に一定の取付間隔Ｌ1 をおいて形成された３個の係止爪３から成る５つの係止爪群Ｂ1 〜Ｂ5 が設けられている。各係止爪３は、平面視において略正方形状で、四辺のうちの三辺が切り込まれていて、残りの一辺の部分でパレット板１と接続されている。各係止爪３は、前記残りの一辺の部分（接続部３ａ）を支点としてパレット板１から折り曲げることができる。各係止爪３における接続部３ａの幅Ｗ2 は、各係止爪３の幅Ｗ1 よりも少し狭くなっていて、各係止爪３を、対応する桁材２の係止孔２０（後述）に係止させたときに抜け止めがされるようになっている。また、各係止爪３の長さをＷ3 で表す。
【００１６】
図３に示されるように、前記パレット板１の幅方向の両端部には、第１係止爪群Ｂ1 と第５係止爪群Ｂ5 が設けられていて、同じくほぼ中央部には、第３係止爪群Ｂ3 が設けられている。即ち、第１、第３及び第５係止爪群Ｂ1,Ｂ3,Ｂ5 は、パレット板１の幅方向に一定の取付間隔Ｌ2 をおいて設けられている。これに対して、第２及び第４係止爪群Ｂ2,Ｂ4 は、両端部の各係止爪群Ｂ1,Ｂ5 からパレット板１の幅方向に一定の取付間隔Ｌ3 をおいて設けられている。
【００１７】
次に、桁材２について説明する。図２ないし図４に示されるように、桁材２は、所定の板厚ｔ1 を有する長方形状の段ボール板を各折曲げ線４（図４参照）で折り曲げて角筒状に形成すると共に、内側に複数個（本実施例の場合、３個）の支持部材５（図８参照）を配置したものである。図４に示されるように、展開状態の桁材２の一端部（図４の図面視における右端部）には、折曲げ状態でパレット板１の底面部に接合される天井板部６が形成されていて、該天井板部６には、パレット板１の各係止爪３と同一形状の各係止爪７が、各係止爪群Ｂ1 〜Ｂ5 に対応して（即ち、桁材２の長手方向に一定の取付間隔Ｌ1 をおいて）設けられている。各係止爪７は、天井板部６の端縁部６ａから、距離Ｊ1 だけ離れた位置に設けられている。そして、前記天井板部６に隣接して第１側板部８、底板部９、第２側板部１１、及び折曲げ状態で前記天井板部６の直下に配置される折返し板部１２が順に形成されている。図４及び図６に示されるように、上記した各板部６，８，９，１１，１２の幅を順にＫ1 〜Ｋ5 とすると、天井板部６の幅Ｋ1 と底板部９の幅Ｋ3 はほぼ同一であり、第２側板部１１の幅Ｋ4 は、第１側板部８の幅Ｋ2 よりも板厚ｔ1 の分だけ狭い。また、折返し板部１２の幅Ｋ5 は、天井板部６の幅Ｋ1 よりも僅かに狭い。この結果、各板部６，８，９，１１，１２が折り曲げられて桁材２が形成されたとき、図６に示されるように、その断面形状は長方形状を呈すると共に、折返し板部１２の端縁部１２ａは、第１側板部８の内側面よりも僅かに離れて配置される。そして、前記第１側板部８の幅Ｋ2(即ち、折曲げ状態における各桁材２の高さ）は、フォークリフト爪Ｎの厚みよりも広い。
【００１８】
図４ないし図６に示されるように、前記折返し板部１２において、天井板部６の各係止爪７と対応する位置（第２側板部１１と折返し板部１２との間の折曲げ線４から距離Ｊ2 だけ離れた位置）には、各係止爪７を挿入係止させるための各係止孔用開口１３が設けられている。図５の（イ）に示されるように、各係止孔用開口１３の抜き孔形状は、各係止爪７の外形状に対応していて、各係止孔用開口１３の内幅は、各係止爪７の幅Ｗ1,Ｗ2 と同一であるが、長さＷ4 は、各係止爪７の長さＷ3 よりも少し長い。図５の（ロ）に示されるように、展開状態の桁材２が折り曲げられて角筒状に形成されると、天井板部６の直下に、折返し板部１２が重なり状態で配置される。ここで、各係止孔用開口１３が形成される距離Ｊ2 は、前述した各係止爪７が形成される距離Ｊ1 よりも少し短い。このため、天井板部６の各係止爪７と、折返し板部１２の各係止孔用開口１３とは、距離ｅ（ｅ＝Ｊ1 −Ｊ2 −ｔ1)だけずれて配置される。
【００１９】
図６及び図７に示されるように、各係止爪７の接続部７ａを支点として、各係止爪７を下方にほぼ直角に折り曲げると、各係止爪７が対応する折返し板部１２の各係止孔用開口１３に入り込む。各係止爪７と各係止孔用開口１３の幅Ｗ1 は同一であるものの、両者の位置は幅方向に距離ｅだけずれている。このため、係止爪７が折り曲げられるとき、該係止爪７の一端部７ｂ（図６の図面視における右端部）は、折返し板部１２の端縁部１２ａを側方（第１側板部８の側）に移動させながら係止孔用開口１３に入り込む。そして、各係止爪７の接続部７ａが、各係止孔用開口１３において切込み幅が狭くなっている部分（狭幅部１３ａ）に入り込むことにより、前記折返し板部１２は戻される。これにより、各係止爪７の抜け止めが図られ、桁材２は折曲げ状態（角筒状態）で保持される。そして、この状態で、桁材２の係止爪７が折り曲げられた部分には、幅Ｗ5 （Ｗ5 ＝Ｗ1 −ｅ）の係止孔２０が形成される（図６参照）。
【００２０】
次に、支持部材５について説明する。図７及び図８に示されるように、各桁材２の内部には、高さ方向の強度を確保するために、３個の支持部材５が配置されている。本実施例の支持部材５は、所定厚の段ボール板を複数回に亘って巻回して角筒状にしたものであり、軸心方向を高さ方向に沿わせて、各桁材２における各係止爪７及び各係止孔用開口１３の直下に配置される。各支持部材５の高さは、桁材２の内側高さにほぼ等しい。これにより、各桁材２は、第１及び第２の各側板部８，１１と各支持部材５とでもって被梱包物Ｄの荷重を支持する。また、各係止爪７が下方に折り曲げられたとき、それらの大部分が、対応する支持部材５の内側部分（中空部分）に入り込む。これにより、各支持部材５が桁材２から抜け出るおそれはない。
【００２１】
図６ないし図８に示されるように、折り曲げられて角筒状に保持され、内部に各支持部材５が配置された桁材２とパレット板１とが一体に取付けられる。即ち、パレット板１の底面部に各桁材２が配置された状態で、前記パレット板１に設けられた各係止爪３が下方に折り曲げられる。各係止爪３は、対応する桁材２の係止孔用開口１３に入り込む。このとき、前記各係止爪３は、桁材２における天井板部６の係止爪７と殆ど同一の作用でもって、桁材２の係止孔２０に入り込む。パレット板１の係止爪３の幅Ｗ1 は、係止孔２０の幅Ｗ5 よりも大きいので、該係止爪１３の一端部３ｂ（図６の図面視における右端部）が、折返し板部１２の端縁部１２ａを側方（第１側板部８の側）に移動させると共に、他端部３ｃが桁材２の天井板部６を反対側の側方（第２側板部１１の側）に移動させながら係止孔２０に入り込む。そして、各係止爪３の接続部３ａが、各係止孔２０において切込み幅が狭くなっている部分（狭幅部１３ａ）に単独で、或いは桁材２の係止爪７と重なって入り込むことにより、前記折返し板部１２は戻される。これにより、各係止爪３の抜け止めが図られ、パレット板１と桁材２とが一体に取付けられる。パレット板１の各係止爪３を逆方向に折り曲げて戻すことにより、パレット板１と桁材２とを容易に分離させることができる。本実施例のパレットＰの場合、パレット板１における第１、第３及び第５係止爪群Ｂ1,Ｂ3,Ｂ5 の直下の部分に、各桁材２が取付けられている。そして、各桁材２どうしの間には、フォークリフト爪Ｎを挿入させるための爪挿入空間Ｖが形成される。
【００２２】
次に、梱包箱Ｃ1 について説明する。図１及び図９に示されるように、梱包箱Ｃ1 は所定厚の段ボール板から成り、組立状態における内側は、パレット板１よりも少し広い。梱包箱Ｃ1 の側板部１４の下部で、収容状態でのパレットＰの各爪挿入空間Ｖに対応する部分には、フォークリフト爪Ｎを挿通させるための各爪孔１４ａが設けられている。被梱包物Ｄは、梱包箱Ｃ1 の底面部に収容されたパレットＰに設置されて収容される。各爪孔１４ａの高さ（内側寸法）は、パレットＰの桁材２の第１側板部８の幅Ｋ2 （図６参照）よりも少し高く、パレットＰの収容状態で、各爪孔１４ａの上縁部は、パレット板１の底面部よりも少し上方に配置される（図１０参照）。このため、フォークリフト爪Ｎが上昇したとき、最初にパレット板１の底面部に当接する。
【００２３】
図９及び図１０を参照しながら、第１実施例の段ボール製梱包箱装置Ａ1 の作用について説明する。被梱包物Ｄに対して最適な大きさのパレット板１と各桁材２が選択される。本実施例の場合、パレット板１における各桁材２の取付間隔Ｌ2 が、被梱包物Ｄの幅Ｒに近いものが選択される。梱包箱Ｃ1 の各側板部１４が折り曲げられ、下面が閉塞状態に形成される。図８に示されるように、角筒状に折り曲げられ、内部に各支持部材５が配置された桁材２が、パレット板１における第１、第３及び第５の各係止爪群Ｂ1,Ｂ3,Ｂ5 の直下に配置され、パレット板１の各係止爪３が下方に折り曲げられて対応する桁材２の係止孔２０に入り込んで係止される。これにより、パレットＰが形成される。本実施例の場合、パレット板１と各桁材２とを一体に取付けるときに糊等の接着剤を使用する必要がないため容易であり、しかも、梱包現場を汚損するおそれはない。
【００２４】
続いて、梱包箱Ｃ1 の底部にパレットＰが収容される。この状態で、図１０の（イ）に示されるように、パレットＰの各爪挿入空間Ｖは、一対の側板部１４の下部に設けられた各爪孔１４ａと対応して配置され、各爪孔１４ａを介してフォークリフト爪Ｎを、前記爪挿入空間Ｖに挿入させることができる。そして、パレット板１に被梱包物Ｄが設置される。最下段の被梱包物Ｄ（パレット板１に直接設置される被梱包物Ｄ）における４つの底辺のうち、パレット板１の奥行方向に沿って配置される側の２辺（稜線１５）が、各桁材２の直上の部分に配置される。これにより、被梱包物Ｄが重量物であっても確実に支持される。
【００２５】
次に、梱包現場において、収容される被梱包物Ｄが被梱包物Ｄ’に変更された場合について説明する。ここで、被梱包物Ｄ’の幅Ｒ’は、被梱包物Ｄの幅Ｒよりも狭い。該パレットＰに被梱包物Ｄ’をそのまま設置させると、被梱包物Ｄ’における稜線１６が、パレット板１の中央部の桁材２に掛からなくなってしまい、被梱包物Ｄ’を的確に支持できなくなるおそれがある。この場合、図１０の（ロ）に示されるように、パレット板１における幅方向の中央部の桁材２（第３係止爪群Ｂ3 に対応する桁材２）を取り外し、第２及び第４の係止爪群Ｂ2,Ｂ4 の部分に各桁材２を取付ける。被梱包物Ｄ’の幅Ｒ’が、新たにパレット板１に取付けられた各桁材２の取付間隔Ｌ3 に近ければ、被梱包物Ｄ’における底面部の稜線１６は、各桁材２の直上に配置される。これにより、被梱包物Ｄ’を確実に支持することができる。しかも、各桁材２の取付位置を変更した場合であっても、爪挿入空間Ｖはそのまま確保され、フォークリフト爪Ｎを挿入させるのに支障はない。
【００２６】
本実施例の段ボール製梱包箱装置Ａ1 の場合、パレットＰを構成するパレット板１と桁材２とを分離させた状態で保管することができるため、それらを保管するためのスペースが小さくて済む。また、パレット板１及び桁材２の運搬も容易である。
【実施例２】
【００２７】
次に、第２実施例の段ボール製梱包箱装置Ａ2 について説明する。図１１は第２実施例の段ボール製梱包箱装置Ａ2 の斜視図、図１２は同じく分解斜視図、図１３は連結部材Ｓの斜視図である。図１１及び図１２に示されるように、段ボール製梱包箱装置Ａ2 は、上箱１７と下箱１８とから成る梱包箱Ｃ2 と、パレットＰと、重なり状態の上箱１７と下箱１８とが分離することを防止するための連結部材Ｓとから構成されている。前記パレットＰは、第１実施例の段ボール製梱包箱装置Ａ1 におけるパレットＰと同一である。
【００２８】
梱包箱Ｃ2 について説明する。図１１及び図１２に示されるように、梱包箱Ｃ2 を構成する上箱１７は、所定厚ｔ2 の段ボール板より成り、組立て状態（折曲げ状態）で下面が開口していると共に、上面は、折り曲げられた天井板部１９によって閉塞されている。また、上箱１７の各側板部２１の下部で、下箱１８に収容されたパレットＰの各爪挿入空間Ｖに対応する部分は高さ方向に切り込まれていて、各折返し片２２が形成されている。同じく下箱１８は、所定厚ｔ3 の段ボール板より成り、組立て状態（折曲げ状態）で上面が開口していると共に、下面は底板部２３によって閉塞されている。下箱１８の各側板部２４の外周縁の大きさは、上箱１７の各側板部２１の内周縁の大きさよりも僅かに小さい。このため、下箱１８に上箱１７を覆い被せることができる。また、下箱１８の各側板部２４のうち、該下箱１８に収容されたパレットＰの各爪挿入空間Ｖに対応する部分には、フォークリフト爪Ｎを挿入させるための各爪孔２５が形成されている。各爪孔２５の高さＨ1 は、桁材２の高さＫ2 よりも少し高い（図１５参照）。本実施例の場合、各爪孔２５の内幅は、上箱１７の折返し片２２の切込み幅とほぼ等しい。このため、下箱１８に上箱１７が覆い被せられたとき、上箱１７の折返し片２２の抜き孔２２ａと下箱１８の爪孔２５は、幅方向においてほぼ合致する。この状態で、上箱１７の折返し片２２が内側に折り返される。該折返し片２２は、パレットＰの爪挿入空間Ｖに入り込み、パレット板１の直下に配置される（図１１参照）。そして、上下の各箱１７，１８を分離不能に連結するために、前記折返し片２２の抜き孔２２ａから連結部材Ｓが挿入される。なお、図１２において、２６はテープである。
【００２９】
次に、連結部材Ｓについて説明する。図１４に示されるように、連結部材Ｓは、所定厚の段ボール板を逆Ｕ字状に折り曲げたものであり、折曲げ状態における上板部２７の全幅Ｗ6 は、上箱１７の折返し片２２の抜き孔２２ａの内幅Ｗ7 よりも少し短い。前記上板部２７の両側に、一対の側板部２８が垂下されて形成されている。前記上板部２７の前部には、平面視においてＬ字状の切込みが、２箇所に対称形状で設けられている。このため、上板部２７の両端部を下方に折り曲げて一対の側板部２８を形成したとき、各側板部２８の上部は、切込みの分だけ上板部２７から突出し、高さＨ2 の各抜止め部２９が形成される。また、各側板部２８の後端部の下部には、ストッパ部３１が突設されている。図１５に示されるように、前記抜止め部２９の高さＨ2 は、上箱１７の板厚ｔ2 よりも少し短い。また、前記ストッパ部３１における側板部２８の下端縁からの突出長Ｈ3 は、下箱１８の板厚ｔ3 よりも少し短い。
【００３０】
前記連結部材Ｓは、図１４ないし図１６に示されるように、下箱１８に覆い被されて折返し片２２が内側に折り返された上箱１７の外側から、折返し片２２の抜き孔２２ａを介して、下箱１８の爪孔２５の部分に挿入される。爪孔２５の内幅は、前記抜き孔２２ａの内幅Ｗ7 とほぼ同一であり、しかも、折返し片２２の抜き孔２２ａの高さＨ4(図１６参照）よりも高いため、連結部材Ｓは、図１４に二点鎖線で示されるように、一対の側板部２８が内側に屈曲され、全高を低くさせた状態で挿入される。そして、連結部材Ｓにおける抜止め部２９の部分が、上箱１７の折返し片２２の前端部２２ｂを超えると、一対の側板部２８の屈曲状態が解除されて、上板部２７とほぼ直角の状態を呈する。これにより、一対の抜止め部２９もほぼ起立状態となり、その後端部２９ａが、前記折返し片２２の前端部２２ｂと近接して対向配置される。また、この状態で、連結部材Ｓのストッパ部３１の前端部３１ａも、下箱１８の底板部２３の端面部２３ａと近接して対向配置される。この結果、連結部材Ｓの抜止めが図られると共に、前記連結部材Ｓにより、上箱１７の折返し片２２が下箱１８の爪孔２５を介してパレットＰの爪挿入空間Ｖに入り込んでいる状態が保持され、上箱１７と下箱１８とは分離不能となる。更に、連結部材Ｓが挿入された状態においても、上板部２７と一対の側板部２８との間には、フォークリフト爪Ｎを挿入可能な空間部が、パレットＰの爪挿入空間Ｖに連続して形成されるため、この状態においてもフォークリフト爪Ｎによって段ボール製梱包箱装置Ａ2 を持ち上げることができる。連結部材Ｓを取り外すときは、挿入するときと同様に、一対の側板部２８を内側に屈曲させながら引き出す。これにより、上箱１７と下箱１８とを容易に分離させることができる。
【００３１】
第２実施例の段ボール製梱包箱装置Ａ2 の作用について説明する。図１２及び図１５に示されるように、下箱１８に収容されたパレットＰに被梱包物Ｄが設置される。パレットＰの周囲が開放されているため、被梱包物Ｄを設置する作業が容易である。また、梱包を解除して、被梱包物Ｄを取り出す作業も容易である。パレットＰに被梱包物Ｄが設置された後、上箱１７が覆い被せられ、各折返し片２２が内側に折り曲げられる。各折返し片２２は、下箱１８の爪孔２５を介してパレットＰの爪挿入空間Ｖに配置される。
【００３２】
続いて、上箱１７の折返し片２２の抜き孔２２ａの部分に、連結部材Ｓの一対の側板部２８を、幅方向に屈曲させながら挿入させる。連結部材Ｓの抜止め部２９が、折返し片２２の前端部２２ｂを超えると屈曲状態が解放され、折返し片２２と抜止め部２９とが係止される。これにより、連結部材Ｓの抜止めが図られる。また、ストッパ部３１が、下箱１８の底板部２３の端面部２３ａに当接するため、前記連結部材Ｓがそれ以上挿入されることが防止される。これにより、上箱１７と下箱１８は、連結部材Ｓによって分離不能に連結される。この結果、搬送途中において、上箱１７と下箱１８が分離され、不正に梱包解除されることを阻止できる。そして、前記連結部材Ｓを介してパレットＰの爪挿入空間Ｖにフォークリフト爪Ｎを挿入して持ち上げる。連結部材Ｓの上板部２７が持ち上げられると、上箱１７の折返し片２２を介してパレット板１の底面部に当接し、被梱包物Ｄが設置されたパレットＰ全体が持ち上げられる。折返し片２２が持ち上げられると、下箱１８の爪孔２５に当接し、下箱１８が持ち上げられる。この結果、段ボール製梱包箱装置Ａ2 の全体が持ち上げられる。パレット板１と折返し片２２との間、及び折返し片２２と連結部材Ｓの上板部２７との間には隙間が殆どないので、前記連結部材Ｓにフォークリフト爪Ｎを挿入して被梱包物Ｄの搬送作業を行っても、折返し片２２の前端部２２ｂと連結部材Ｓの抜止め部２９の後端部２９ａとの係止状態が維持される。
【００３３】
第２実施例の段ボール製梱包箱装置Ａ2 では、上箱１７と下箱１８の下端部に、折返し片２２と爪孔２５が設けられていて、連結部材Ｓを、梱包箱Ｃ2 の下端部に挿入させる形態である。このため、下箱１８の高さを低くすることができ、被梱包物Ｄの設置が容易である。また、連結部材Ｓを取り外す場合には、段ボール製梱包箱装置Ａ2 において前記連結部材Ｓが挿入された側板部２１の周囲に、所定の大きさの空間部を必要とする。換言すれば、被梱包物Ｄを梱包した段ボール製梱包箱装置Ａ2 どうしを近接配置させることにより、前記空間部が形成されなくなり、不正に梱包解除されることを一層確実に阻止できる。なお、第２実施例の段ボール製梱包箱装置Ａ2 を構成するパレットＰは、段ボール以外のもの（例えば、木材、樹脂材等）から成るものであっても構わない。
【図面の簡単な説明】
【００３４】
【図１】第１実施例の段ボール製梱包箱装置Ａ1 の全体斜視図である。
【図２】パレットＰの斜視図である。
【図３】同じく平面図である。
【図４】桁材２の展開図である。
【図５】（イ）は折曲げ状態の桁材２の平面図、（ロ）は係止爪７を折り曲げた状態の平面図である。
【図６】図５の（ロ）の状態の断面図である。
【図７】同じく側面断面図である。
【図８】パレット板１と桁材２と支持部材５を分離させた状態の斜視図である。
【図９】梱包箱Ｃ1 に収容したパレットＰに、被梱包物Ｄを設置させる状態の作用説明図である。
【図１０】（イ）,(ロ）は、被梱包物Ｄが変更された場合に、桁材２の本数を変えて設置させる状態の作用説明図である。
【図１１】第２実施例の段ボール製梱包箱装置Ａ2 の斜視図である。
【図１２】同じく分解斜視図である。
【図１３】連結部材Ｓの斜視図である。
【図１４】下箱１８に上箱１７を覆い被せた状態における折返し片２２及び爪孔２５の部分の正面図である。
【図１５】同じく断面図である。
【図１６】上箱１７と下箱１８を連結部材Ｓで連結した状態の断面図である。
【符号の説明】
【００３５】
Ａ1,Ａ2 ：段ボール製梱包箱装置
Ｃ1,Ｃ2 ：梱包箱
Ｄ：被梱包物
Ｎ：フォークリフト爪
Ｐ：パレット
Ｓ：連結部材
Ｖ：爪挿入空間（パレットの下方）
１：パレット板（パレット本体）
２：桁材
３，７：係止爪
１４：側板部
１４ａ，２５：爪孔
１７：上箱
１８：下箱
２０：係止孔
２２：折返し片
２２ａ：抜き孔（爪孔）
【図１】
2005289490.tif 000003
【図２】
2005289490.tif 000004
【図３】
2005289490.tif 000005
【図４】
2005289490.tif 000006
【図５】
2005289490.tif 000007
【図６】
2005289490.tif 000008
【図７】
2005289490.tif 000009
【図８】
2005289490.tif 000010
【図９】
2005289490.tif 000011
【図１０】
2005289490.tif 000012
【図１１】
2005289490.tif 000013
【図１２】
2005289490.tif 000014
【図１３】
2005289490.tif 000015
【図１４】
2005289490.tif 000016
【図１５】
2005289490.tif 000017
【図１６】
2005289490.tif 000018